(57)【特許請求の範囲】
【請求項１】
メインシャーシに固定される支持軸に、中空の弾性体からなる第１の防振部材を貫通させて支持し、該第１防振部材を介して、光ドライブユニットをメインシャーシに対して浮上させ支持する光ディスク装置の防振装置において、
前記第１防振部材と前記支持軸との間に配設されて前記光ドライブユニットの前記支持軸に対する偏倚を規制する第２防振部材を備え、
前記第２防振部材は、前記第１防振部材の内面から突出するとともに前記支持軸と直交する方向のばね定数が非線形である断面形状の複数の凸部を有し、これら凸部が特定の方向に密に、他の方向には疎に設けられたことを特徴とする光ディスク装置の防振装置。
【請求項２】
メインシャーシに固定される支持軸に、中空の弾性体からなる第１の防振部材を貫通させて支持し、該第１防振部材を介して、光ドライブユニットをメインシャーシに対して浮上させ支持する光ディスク装置の防振装置において、
前記第１防振部材と前記支持軸との間に配設されて前記光ドライブユニットの前記支持軸に対する偏倚を規制する第２防振部材を備え、
前記第２防振部材は、前記支持軸を嵌着させる管状部の外周面から突出するとともに前記支持軸と直交する方向のばね定数が非線形である断面形状の複数の凸部を有し、これら凸部が特定の方向に密に、他の方向には疎に設けられたことを特徴とする光ディスク装置の防振装置。
【請求項３】
第１防振部材の周壁部分から支持軸に接する内周縁部を設け、この内周縁部を周壁部分より肉厚にしたことを特徴とする請求項１または２記載の光ディスク装置の防振装置。
【請求項４】
第２防振部材と、該第２防振部材が対峙する第１防振部材又は支持軸のいずれか一方との間に間隙を有することを特徴とする請求項１ないし３のいずれか記載の光ディスク装置の防振装置。
【請求項５】
第２防振部材と、該第２防振部材が対峙する第１防振部材又は支持軸のいずれか一方との間に摩擦低減手段を設けたことを特徴とする請求項１ないし４のいずれか記載の光ディスク装置の防振装置。
【発明の詳細な説明】
【０００１】
【産業上の利用分野】
本発明は、光ディスク装置に用いられる防振装置に関し、特にビデオ光ディスク、コンパクト光ディスク等における防振装置に関するものである。
【０００２】
【従来の技術】
光ディスク装置は、回転駆動される光ディスクに対し、光ヘッドをその半径方向に直線移動しながら、この光ヘッドにより、音楽や映像等の情報を読取り再生を行うものである。
【０００３】
光ディスクは、膨大な情報量を記録できるという点で、記録媒体として非常に有益なものであるが、記録される情報量が膨大であるため、その記録密度は非常に高いものである。従って、光ディスク装置に衝撃等が与えられ、振動が発生し光ヘッドと光ディスクとの相対位置がずれると、それが僅かなずれであっても情報の記録あるいは読取り動作にエラーが発生する原因となる。この振動に対する対策として光ディスク装置には防振機構が従来から必要不可欠となっている。
【０００４】
そこで、従来一般には光ディスク装置における振動対策としては、実開平２−３０１９８号公報に開示される防振機構を採用していた。
【０００５】
この防振機構は、図１０に示すように略瓢箪型をした弾性体１０１を備えており、この弾性体１０１の括れ部１０３に、光ヘッドや光ディスク等が組み込まれて構成される光ドライブユニット５が取り付けられるようになっている。この弾性体１０１により光ドライブユニット５は、光ディスク装置のメインシャーシ１に対して直接固定されずに弾性体１０１を媒介にした状態で支持（以下、弾性体媒介支持という）され、メインシャーシ１から光ドライブユニット５に伝わる振動は弾性体１０１において減衰される。
【０００６】
この防振機構は、広い範囲の周波数にわたり振動の減衰ができる点で優れている。すなわち、低い周波数の振動に対しては、上部部分１０５及び下部部分１０７が弾性変形することにより振動が減衰され、高い周波数の振動に対しては、弾性体１０１を構成する弾性材料（例えば、ゴム材）自身の振動減衰特性により振動が減衰されるので、広い範囲の周波数の振動の減衰が可能となっている。
【０００７】
ところで、光ディスク装置は、光ディスク面がほぼ水平となる状態（以下、「横置き」という）で使用するのが一般的な使用姿勢であるが、光ディスク媒体表面がほぼ鉛直となる状態（以下、「縦置き」という）で光ディスク装置を使用することもある。この縦置き状態での使用は、光ディスク表面に対して垂直な方向に薄い光ディスク装置においては、物と物との間の狭い縦長のスペースにも設置することができるため便利である。
【０００８】
しかし、図１０に示す防振機構では、弾性体１０１の上部部分１０５及び下部部分１０７が、振動に対して容易に弾性変形して当該振動を減衰できるよう、柔軟な材質から肉薄に形成されているので、光ディスク装置を縦置きに使用した場合には、弾性体１０１が、図１１のように、光ドライブユニット５の重さで弾性体１０１が下垂し、光ドライブユニット５は支持軸１０９に弾性体１０１を介して支持される状態となる。このとき、振動がメインシャーシ１に加わると、弾性体１０１が肉薄であるため、振動が十分に減衰されることなく支持軸１０９から光ドライブユニット５に伝わってしまうという問題があった。
【０００９】
この問題に対しては、間隙１１１を十分に大きくする手段があるが、当該装置の大型化を招き好ましくない。また、弾性体１０１の硬度を高くして、弾性体１０１が光ドライブユニット５の重さで下垂したり、容易に揺動したりしないようにすることも考えられるが、このようにした場合には、低い周波数の振動に対する減衰特性が損なわれ本来の防振機構の機能を果たせなくなる。
【００１０】
そこで、従来においては、光ディスク装置を横置き状態でも縦置き状態でも使用できる防振機構が提案されている。このような防振機構としては、特開平２−６１８８１号公報に開示されているものがある。
【００１１】
特開平２−６１８８１号公報に開示されている防振機構は、図１２及び図１３に示すように、断面が楕円形の貫通孔を有する特殊形状の弾性体１２１により、光ドライブユニットをメインシャーシ１に対して弾性体媒介支持するものである。詳細に説明すると、弾性体１２１の上部及び下部の外周面にそれぞれ溝１２３，１２５が形成されており、上部の溝１２３に光ドライブユニットから突設された取付部１２７を嵌合すると共に、下部の溝１２５にメインシャーシ１のマウント１２９を嵌合することで、光ドライブユニットがメインシャーシ１に対して弾性体１２１のみをもって支持されるよう構成されている。
【００１２】
図１３から理解できるように、弾性体１２１は、矢印Ｅ方向（貫通孔の楕円断面の単軸方向）においては肉厚となっており、矢印Ｆ方向（貫通孔の楕円断面の長軸方向）においては肉薄となっている。従って、矢印Ｅ方向における弾性体１２１のばね定数は、矢印Ｆ方向におけるばね定数よりも小さい。換言するならば、弾性体１２１は、矢印Ｅ方向に外力が作用した場合の方が矢印Ｆ方向の場合よりも変形しやすくなっている。よって、光ディスク装置を縦置きにした場合に、矢印Ｆ方向が上下方向に一致するように弾性体１２１を設置すると、この方向における弾性体１２１のばね定数は大きいので、弾性体１２１で支持される光ドライブユニットの下垂を小さく抑えることができる。
【００１３】
【発明が解決しようとする課題】
このように、特開平２−６１８８１号公報に記載の防振機構は、実開平２−３０１９８号公報に記載の防振機構における縦置き時の問題を解決することができる。
【００１４】
弾性体１２１が特殊形状であるので、振動減衰特性が方向により異なっているという問題点がある。
【００１５】
光ディスク装置においては、光ディスクの半径方向に沿って配置される案内軸に導かれて移動する光ヘッドは、案内軸をガイドとして摺動するため、案内軸と直交する方向に対しては、案内軸の方向に比べて高い耐震性を有するという特性がある。従って、この案内軸と矢印Ｅ方向とが互いに平行になるように弾性体１２１を配置すれば、上記特殊形状の弾性体１２１を用いても、ある程度の振動は減衰することができる。しかし、光ディスクと光ヘッドとの位置決めは高い精度が要求されるので、弾性体１２１の振動減衰特性が方向により相違していることは好ましいことではない。光ディスクは、その中心部のみで光ディスク回転駆動部に取付けられるため、その中心部を中心に光ディスクが振動すると、中心部からの距離に比例して光ディスクの外周へ行くほど振動が大きくなるので、この振動減衰特性の非一様性は問題となる。
【００１６】
また、特開平２−６１８８１号公報に記載の弾性体１２１は、実開平２−３０１９８号公報に記載の略瓢箪形弾性体１０１とは異なり、寸胴形の筒体を呈しているため、筒体の軸線方向への弾性変形が少なく、振動の減衰は弾性体１２１自体の減衰特性のみによるものである。よって、振動周波数の高い振動に対しては減衰性能が高いが、振動周波数の低い振動に対しては減衰性能が低いという問題点を有する。従って、弾性体１２１は、光ディスク回転駆動用モータ等に起因する高い周波数の振動に対する減衰特性が求められるいわゆる据置き型の光ディスク装置の防振部材としては効果的であるが、自動車の振動や携帯時の振動のように振動周波数の低い振動が光ディスク装置にかかる場合や、携帯型ないしは可動型の光ディスク装置に要求されるような衝撃的振動が光ディスク装置にかかる場合に用いられる防振部材としては不適当である。勿論、据置き型の光ディスク装置であっても、装置に不注意で物を当てる等の場合があるので、低い振動周波数の振動や衝撃の減衰・緩衝性能が要求される。
【００１７】
一方、実開平２−３０１９８号公報に記載の防振機構においては、上述した縦置きの場合の問題の他、メインシャーシ１と光ドライブユニット５又は光ディスクがメインシャーシ１と干渉する恐れがあるという問題もある。すなわち、図１０に示すように、弾性体１０１と支持軸１０９との間には間隙１１１が形成されていて、水平方向の振動に対して、弾性体１０１がこの間隙１１１の範囲で水平方向に弾性変形して振動が減衰されるようになっているが、光ディスク装置のコンパクト化の要請から、光ドライブユニット５とメインシャーシ１との間、或いは光ディスクとメインシャーシ１との間は僅かな余裕スペースしか確保されていないため、弾性体１０１が側方に変形して光ドライブユニット５が揺動すると、光ドライブユニット５や光ディスクがメインシャーシ１と干渉する可能性がある。
【００１８】
従って、本発明は、上記問題点を解決し、振動に対する減衰性能を劣化させることなく、横置き使用と縦置き使用のいずれの使用態様でも、振動を効果的に減衰でき、また、縦置き使用とした場合に、光ディスク等がメインシャーシ等の部材と干渉しない光ディスク装置の防振装置を提供することを目的とする。
【００１９】
【課題を解決するための手段】
請求項１記載の光ディスク装置の防振装置は、メインシャーシに固定される支持軸に、中空の弾性体からなる第１の防振部材を貫通させて支持し、該第１防振部材を介して、光ドライブユニットをメインシャーシに対して浮上させ支持する光ディスク装置の防振装置において、前記第１防振部材と前記支持軸との間に配設されて前記光ドライブユニットの前記支持軸に対する偏倚を規制する第２防振部材を備え、前記第２防振部材は、前記第１防振部材の内面から突出するとともに前記支持軸と直交する方向のばね定数が非線形である断面形状の複数の凸部を有し、これら凸部が特定の方向に密に、他の方向には疎に設けられたものである。
【００２０】
請求項２記載の光ディスク装置の防振装置は、メインシャーシに固定される支持軸に、中空の弾性体からなる第１の防振部材を貫通させて支持し、該第１防振部材を介して、光ドライブユニットをメインシャーシに対して浮上させ支持する光ディスク装置の防振装置において、前記第１防振部材と前記支持軸との間に配設されて前記光ドライブユニットの前記支持軸に対する偏倚を規制する第２防振部材を備え、前記第２防振部材は、前記支持軸を嵌着させる管状部の外周面から突出するとともに前記支持軸と直交する方向のばね定数が非線形である断面形状の複数の凸部を有し、これら凸部が特定の方向に密に、他の方向には疎に設けられたものである。
【００２１】
請求項３記載の光ディスク装置の防振装置は、第１防振部材の周壁部分から支持軸に接する内周縁部を設け、この内周縁部を周壁部分より肉厚にしたものである。
【００２２】
請求項４記載の光ディスク装置の防振装置は、第２防振部材と、該第２防振部材が対峙する第１防振部材又は支持軸のいずれか一方との間に間隙を有するものである。
【００２３】
請求項５記載の光ディスク装置の防振装置は、第２防振部材と、該第２防振部材が対峙する第１防振部材又は支持軸のいずれか一方との間に摩擦低減手段を設けたものである。
【００２４】
【作用】
光ディスク装置を横置きに設置し、光ディスク装置に外部から振動が加わった時には、光ドライブユニットの自重は第１防振部材のみによって支持され、振動が効果的に吸収される。また、光ディスク装置を縦置きに設置し、光ディスク装置に外部から振動が加わった時には、光ドライブユニットの自重によって、第１防振部材は下垂し、この第１防振部材に設けられた第２防振部材と支持軸とが接触し、光ドライブユニットは第１防振部材と第２防振部材とで支持されることとなるが、第２防振部材は振動減衰能力を有するため効果的に振動減衰できる。
【００２５】
次に、支持軸側に第２防振部材を設けた場合では、光ディスク装置の横置き時における光ドライブユニットの自重は第１防振部材のみによって支持され、振動が効果的に吸収される。また、光ディスク装置の縦置き時における光ドライブユニットの自重によって、第１防振部材は下垂し、第１防振部材の内周面と支持軸に設けられた第２防振部材とが接触し、光ドライブユニットは第１防振部材と第２防振部材とで支持されることとなるが、第２防振部材は振動減衰能力を有するため効果的に振動減衰できる。
【００２６】
すなわち、第１防振部材と支持軸との間に配設されて光ドライブユニットの支持軸に対する偏倚を規制する第２防振部材が、支持軸と直交する方向のばね定数が非線形である断面形状の複数の凸部を有することによって、光ディスク装置が縦置きの場合に、光ディスク装置の自重によって第１防振部材が下垂し、第２防振部材が対峙する支持軸又は第１防振部材に接触しても、広範囲の周波数の振動を効果的に吸収することができ、しかも、第２防振部材の複数の凸部を特定の方向に密に、他の方向には疎に設けたことによって、振動の減衰特性に方向性を持たせることができる。
【００２７】
また、第１防振部材の周壁部分から支持軸に接する内周縁部を設け、この内周縁部を周壁部分より肉厚にしたことによって、光ドライブユニットを支持するのに充分な剛性を持つことができる。
【００２８】
なお、横置き時においても縦置き時においても、第２防振部材から第２防振部材が対峙する支持軸又は第１防振部材までの間に所定の間隙を有し、支持軸と一体となった光ドライブユニットが変位した場合には、支持軸が第１防振部材の内周面に設けられた第２防振部材に接触するか、若しくは支持軸に設けられた第２防振部材が第１防振部材の内周面に接触するため、光ドライブユニットの偏倚が規制されることとなる。
【００２９】
【実施例】
以下、本発明の好適な実施例について詳細に説明する。
【００３０】
図１ないし図５に本発明の前提となる構成を示す。図１及び図２に示すように、この光ディスク装置の基体部はメインシャーシ１から構成されている。このメインシャーシ１には矩形の開口部３が形成されている。この開口部３の内側には記録・読取機構組込体として光ヘッドや光ドライブユニットが内蔵された光ドライブユニット５が配置されている。
【００３１】
光ドライブユニット５には光ディスクモータ７が取り付けられている。この光ディスクモータ７の回転軸は、光学的に情報の記録が行われる記録媒体である光ディスク９が取付けられるターンテーブル１１と直結されている。
【００３２】
ターンテーブル１１の上方に備えられるクランパ（不図示）により光ディスク９はターンテーブル１１との間で挟持される。この光ディスク９はターンテーブル１１上面に形成される位置決め１３により中心を位置決めされた状態で、ターンテーブル１１とクランパとの間で挟持され、光ディスクモータ７により回転駆動される。光ディスク９の下部には、この光ディスク９に情報を記録したりあるいは記録されている情報の読取りを行う光ピックアップ１５が設けられている。この光ピックアップ１５は、送りねじ１７とこれに平行に設けられるガイドポール１９とに支持され、光ピックアップモータ２１が歯車列２３を介して駆動される送りねじ１７に導かれて、光ディスク９の半径方向に移動可能となっている。送りねじ１７、ガイドポール１９、歯車列２３、及び光ピックアップモータ２１は光ドライブユニット５に取付けられている。
【００３３】
また、光ドライブユニット５には、光ピックアップ１５の移動範囲に対応した開口部２７が形成され、光ピックアップ１５はこの開口部２７内で、送りねじ１７に導かれて移動し、光ディスク９に対して情報の記録・読取りが行えるようになっている。
【００３４】
この光ドライブユニット５には２箇所の角部に、光ドライブユニット５の板厚を薄くすることにより形成された光ドライブユニット５の取付部２９が設けられている（図３参照）。さらにこの取付部２９の反対側の光ドライブユニット５の側面には、そのほぼ中央の位置に、前記取付部２９と同等の光ドライブユニット５の取付部３１が突出して設けられている。メインシャーシ１の開口部３の内周縁には、上記の取付部２９，３１に対応する位置で、舌形状で開口部３内部に突出するメインシャーシ１の突出部３３が設けられている。
【００３５】
メインシャーシ１と光ドライブユニット５とを構造的に連結し、光ドライブユニット５をメインシャーシ１に対して支持する部材として、突出部３３と取付部２９，３１との間に弾性体３５が設けられている。
【００３６】
この弾性体３５は、本発明の防振装置を構成するものであって、光ドライブユニット５をメインシャーシ１に直接固定することなく、それらの中間に介在させて、メインシャーシ１に加えられた振動を光ドライブユニット５に可能な限り伝えないようにするために用いられるものである。
【００３７】
次に図４に示すように、弾性体３５には支持軸として取付ねじ３７が貫通されており、この取付ねじ３７の先端部をメインシャーシ１の突出部３３にねじ結合することにより、弾性体３５がメインシャーシ１に固定されることとなる。
【００３８】
弾性体３５は、その中心軸線に向かって、円周面に全周にわたり形成された括れ部３９を有する略瓢箪型である。この弾性体３５は取付部２９，３１の孔４１に嵌め込まれ、孔４１の周縁を嵌合することで、取付部２９，３１に取付けられる。
【００３９】
光ドライブユニット５をメインシャーシ１に対し支持する弾性体３５は、中空体を成している。図４において、括れ部３９より上方の部分を上部部分４３、括れ部３９より下方の部分を下部部分４５と定義する。これらの部分の内部は中空部となっており、括れ部３９の内周面には、断面半円形状をした環状の凸部４７が全周にわたり形成されている。弾性体３５の上下端部４９，５１は、内方に突出したフランジ面であって、その中心の開口部５３を通って取付ねじ３７が弾性体３５を貫通し前述したように突出部３３にねじ結合されている。
【００４０】
また、端部４９，５１の開口部５３の周縁には、窪み部５０，５２が形成され、取付ねじ３７を弾性体３５に組付ける際の容易化を図っている。この窪み部５０，５２に近接する位置で、弾性体３５の内面に図４に示すような環状凹部４４，４６が形成されている。
【００４１】
取付ねじ３７は、フランジ形状のねじ頭５７と、円柱部５９と、この円柱部５９の先端に形成されるねじ部６１とから構成されている。
【００４２】
円柱部５９の外径はねじ部６１の山径より太径となっていて、円柱部５９とねじ部６１との段部には平らなフランジ面６３が形成されている。したがって、このフランジ面６３が突出部３３に当接するようにねじ結合された取付ねじ３７は突出部３３に対し垂直に且つ安定して固定される。そして、弾性体３５は、このように突出部３３に固定された取付ねじ３７のねじ頭５７のフランジ面と突出部３３の面３４とにより挟持された状態で突出部３３に取り付けられている。
【００４３】
このように、弾性体３５はメインシャーシ１側の突出片と取付ねじ３７に挟持されると共に、括れ部３９の位置で光ドライブユニット５の取付部２９，３１の孔４１周縁を嵌合することで、メインシャーシ１に対して光ドライブユニット５が支持されることとなる。
【００４４】
なお、取付部２９，３１のそれぞれに設けられる弾性体３５は実質的に同じ寸法形状を有しており、よって円柱部５９の長さも、各取付ねじ３７とも同じにされている。これは、弾性体３５をねじ頭５７のフランジ面６３と突出部３３との間に挟持するとき、弾性体３５それぞれに作用する押圧力が異なる場合には、各弾性体３５の振動減衰特性が異なってしまい、又、メインシャーシ１に対して支持される光ドライブユニット５の平行度も損なわれてしまうため、各取付ねじ３７の円柱部５９の長さを同じに揃えることにより、取付ねじ３７のフランジ面６３が突出部３３に当接するまできちんとねじ込んだ状態のとき、各箇所の弾性体３５をねじ頭５７と突出部３３との間に同じ押圧力で挟持できるようにするためである。
【００４５】
なお、ここで取付ねじ３７は弾性体３５を把持するためにメインシャーシ１の突出部３３から突設させた支持軸であって、突出部３３とは必ずしもねじ結合されたものに限られない。
【００４６】
また、円柱部５９の外周面には、テフロン樹脂を被覆した滑材層を形成して、凸部４７が円柱部５９と擦れたときの摩擦力が小さくなるように構成している。
【００４７】
凸部４７の突出先端により構成される内周径は、開口部５３の内周径より大きい。そのため取付ねじ３７を弾性体３５に通したときに、円柱部５９と凸部４７との間に間隙が形成されることになる。
【００４８】
この間隙は、光ドライブユニット５がこの間隔の範囲で動いた場合でも、光ドライブユニット５に載置される光ディスク９が、その周辺構造物に干渉しないように設定される。図示していないが、周囲構造物としては、メインシャーシ１や光ドライブユニット５等を内包する装置筐体や、あるいはカートリッジに収納された光ディスク９を装着するタイプの光ディスク装置であればこのカートリッジや、あるいはスライドテーブルに載置された光ディスク９を装填するタイプの光ディスク装置であればこのスライドテーブルなどである。
【００４９】
この凸部４７を突設することにより、上部部分４３及び下部部分４５の位置する外周壁の肉厚は凸部４７が位置する外周壁の部分よりも肉薄となっている。従って、この上部部分４３、下部部分４５に低い周波数の振動が加わったときには、この振動に対し上部部分４３、下部部分４５が柔軟に弾性変形し、振動を減衰するようになっている。以下、凸部４７を除いた弾性体３５の部分を第一防振部分（又は第１防振部材）と呼ぶこととし、また、以下で詳述するが凸部４７は第二防振部分（又は第２防振部材）と呼ぶこととする。
【００５０】
弾性体３５の材質は特に限定されていないが振動減衰特性に優れるブチルゴムが好ましい。もっとも弾性体３５の具体的な弾性材料のばね定数、硬度、肉厚、及び中空部の大きさ等は、弾性体３５の数、光ドライブユニット５の重さ、減衰すべき周波数の高低等により、適宜決定されるものである。
【００５１】
なお、この実施例においては、下部部分４５には光ドライブユニット５とこれに取り付けられる各部材の重さとが加重するため、上部部分４３に比べて大きな中空体としている。
【００５２】
次に、前提となる構成の動作を説明する。
【００５３】
まず、図４に示すように光ディスク装置が横置きに設置されたときの防振機構の動作について説明する。
【００５４】
光ディスク装置が横置きの場合は、光ドライブユニット５はメインシャーシ１に対して弾性体媒介支持されている。
【００５５】
また、凸部４７を除く部分は肉薄に形成されていると共に、弾性体３５の凸部４７は取付ねじ３７の円柱部５９に非接触である。換言すると、第１防振部材である弾性体３５のみで支持され、第２防振部材である凸部４７は支持軸である円柱部５９に非接触の状態であって、第１防振部材の形状変形を伴う振動吸収・減衰が容易な状態である（以下、この状態を浮上支持と呼ぶこととする）。そのため、低い周波数の振動に対しては、弾性体３５の弾性変形を伴う振動減衰がおこなわれる。
【００５６】
例えば、光ディスク装置を車載したり持ち歩いたりする場合は、周波数の低い振動が光ディスク装置に加わることが予想されるが、その振動が上下方向（取付ねじ３７の軸線方向）の振動である場合は、上部部分４３と下部部分４５とがそれぞれ上下方向に弾性変形して振動を減衰する。また、周波数の低い横方向の振動に対しては、主に弾性体３５全体の横方向への弾性変形により減衰される。
【００５７】
これに対し、光ディスク装置と一緒に設置される他のＯＡ機器、例えば、プリンタ等から発生する高い周波数の振動は、弾性体３５を形成する材料自体、例えばブチルゴム自体の振動減衰特性により減衰される。すなわち、低い周波数の振動が減衰されるときのように弾性体３５の外観形状が変化するような弾性変形は殆ど伴わないが、弾性体３５を形成するブチルゴムは、それ自体に振動を吸収し緩衝する特性があるため、このブチルゴムの振動減衰特性により振動が減衰されることとなる。
【００５８】
上述した第一防振部分とは、これらの上下方向及び横方向の弾性体３５の外観形状の変化を伴う振動減衰、および弾性体３５自体の振動減衰特性によって防振を行う部分をいう。
【００５９】
なお、装置の小型化に関して次の点があげられる。
【００６０】
横方向に強い振動、とくに周波数が低く強い振動が加わったときには、光ドライブユニット５が横方向に変位することがある。このような場合にも、凸部４７と円柱部５９との間隙を適切に設定することにより、光ドライブユニット５の変位量が規制され、光ディスク９がメインシャーシ１やメインシャーシ１に固定された他の部品等の周辺構造物と干渉してしまうことはない。光ディスク９と周辺構造物との間隙は、凸部４７が円柱部５９との間隙より僅かに大きく確保するだけでよく、装置の小形化を図ることができる。さらに、凸部４７が円柱部５９に当たった場合でも、凸部４７は振動減衰特性に優れたブチルゴムから形成されているため、弾性体３５で減衰しきれなかった振動をこの凸部４７でも減衰することができる。
【００６１】
次に、図５に示されているように光ディスク装置を縦置きに設置したときの防振機構の動作について説明する。
【００６２】
光ディスク装置を縦置きに設置すると光ドライブユニット５の自重で弾性体３５が下垂するが、図５に示すように凸部４７が取付ねじ３７の円柱部５９に当たるため、光ドライブユニット５が下降する量が規制されて、光ディスク装置を縦置きに設置しても光ディスク９が周辺構造物と干渉することはない。また、光ディスク９の横置き時とは異なり、第２防振部材である凸部４７が支持軸である円柱部５９に接触するため、浮上支持はされていないが、凸部４７と弾性体３５の端部４９，５１とにより、円柱部５９に対して３箇所で支持された状態になる。
【００６３】
ここで、断面半円形の凸部４７において、内周面６５側を基部、その反対側を頂部とする。凸部４７の頂部は丸くなっているので、この部分で内周面６５と平行な断面をとってみると、この断面積は基部側の断面積より小さい。そのため、この部分のばね定数は小さくなる。逆に、凸部４７の基部では、断面積が大きいために、ばね定数は大きくなる。このため、上下方向の振動が加わったときには、低周波数の振動は、主に頂部側部分で減衰され、高周波数の振動は、主に基部部分で減衰される。すなわち、凸部４７を断面半円形に構成したために、ばね定数は上下方向の変化に対して非線形とすることができ、広範囲にわたる周波数の振動を減衰することができる。
【００６４】
また、端部４９，５１の内周縁部６７，６９と凸部４７とにより取付ねじ３７の円柱部５９に対し支持された光ドライブユニット５の重さは、これら２つの内周縁部６７，６９とに分散されるが、光ドライブユニット５の上側に位置する凸部４７には、内周縁部６７，６９に比べて、多くの加重が加わっている。しかし、凸部４７を上記のように断面半円形に構成することにより基部部分はばね定数が高くなるように構成されるから、光ドライブユニット５の支持を確実に行うことができる。
【００６５】
振動の減衰は、内周縁部６７，６９においても行われる。さらに、開口部５３の内径が凸部４７の突出先端により構成される内径より細径となっているために、凸部４７の頂点と円柱部５９との間には間隙がある。このため、上部部分４３、下部部分４５を形成する周壁部分が括れ部３９を支持することとなり、上部部分４３、下部部分４５によっても減衰されることとなる。なお、本実施例においては、内周縁部６７，６９は光ドライブユニット５を支持するのに充分な剛性を持つように、やや肉厚に形成している。
【００６６】
一方、横方向（取付ねじ３７の軸線方向）の振動は、低い周波数の振動に対しては、主として上部部分４３、下部部分４５が取付ねじ３７の軸線方向に弾性変形して減衰される。上部部分４３、下部部分４５が弾性変形する際には、凸部４７が円柱部５９に対して摺動することとなるが、このとき、この摺動摩擦が大きいと、上部部分４３、下部部分４５の弾性変形が抑制され、振動の減衰性能が損なわれる。
【００６７】
しかし、本発明は、円柱部５９をテフロン樹脂で被覆しているため、円柱部５９と凸部４７との間の摺動摩擦が小さくなり、凸部４７は円柱部５９に対し滑らかに動き、そのため、上部部分４３、下部部分４５の弾性変形が抑制されることなく、振動の減衰特性が確保されている。
【００６８】
凸部４７と取付ねじ３７の円柱部５９との摩擦を低減させる手段として、テフロン樹脂を円柱部５９に被覆する他に、ポリアセタル樹脂やポリエチレン樹脂等の滑材層を円柱部５９に形成してもよい。また、円柱部５９と凸部４７との間に潤滑油等の潤滑材を馴染ませてもよい。この場合に、潤滑油がゴム材の劣化を招く性質を有するものであるときは、弾性体３５の材質には、耐油性に優れるニトリルゴムを使用することが望ましい。
【００６９】
高い周波数の振動・衝撃は、上部部分４３、下部部分４５が弾性変形するような大きな外観形状を伴わない弾性体３５自体の振動の減衰性能により減衰される。
【００７０】
図６は、本発明の実施例を示し、図４及び図５においては環状である凸部４７を、図６に示すような半球状の凸部７１を括れ部３９の内周に所定の個数、所定の間隔で設けるものである。凸部７１の個数を適当な個数で設けることにより、この凸部７１における振動の減衰特性を変えることができる。例えば、低い周波数の振動の減衰性能を高める場合には、凸部７１の個数を少なくし、逆に凸部７１の個数を増やせば高い周波数の減衰特性が高くなることとなる。凸部７１の間隔を、例えば特定方向には密に、あるいは特定方向には疎に、というようにして設けることにより振動の減衰特性に方向性を持たせることができる。すなわち、凸部７１の間隔を密に設けた方向には、周波数の高い振動の減衰性能が高くなり、逆に、疎に設けた方向には、低い周波数の減衰性能が高くなる。
【００７１】
次に、図７及び図８に他の前提となる構成を示す。防振装置は、図４〜図６に示した構成では、弾性体３５の凸部４７，７１を除いた部分（第１防振部材）と凸部４７，７１の部分（第２防振部材）とが一体に成形されているのに対し、図７及び図８においては、第１防振部材としての弾性体７３と第２防振部材としてのリング部材７５とを別個に備えている構成となっている。断面半円形のブチルゴムから環状に形成されたリング部材７５を取付ねじ３７の円柱部５９に嵌入し、このリング部材７５を第２防振部材としたものである。このリング部材７５の位置は、図示するように光ドライブユニット５とぼぼ同一面の位置とされている。このリング部材７５の太さ、括れ部３９の内周径、開口部８１の内周径等は、リング部材７５と括れ部３９の内周面７９との距離が、図４及び図５に示した実施例における凸部４７と円柱部５９との距離にほぼ等しくなるように定められている。
【００７２】
このようにリング部材７５を弾性体７３と別な部材で構成することにより、リング部材７５と弾性体７３の弾性材料の硬度をそれぞれ独立に設定することができる。
【００７３】
例えば、凸部４７，７１を弾性体３５に一体成形した先の実施例において、凸部４７，７１の低い周波数の振動の減衰特性を良くするために、硬度の低いゴム材で弾性体３５，７３を構成すると、弾性体３５，７３自体の剛性が低下し光ドライブユニット５の保持が困難になる。しかし、図７及び図８に示した実施例においては、リング部材７５を硬度の低いゴム部材で構成した場合においても、弾性体３５，７３の肉厚を厚くする等の対策を施す必要はなくなる。
【００７４】
なお、本実施例では、弾性体７３とリング部材７５とが摺動する際の摩擦を小さくするために、リング部材７５にポリエチレンを被覆している。ポリエチレンの被覆は、リング部材７５と当たる弾性体７３の側に施してもよく、また、リング部材７５と弾性体７３との両方に施してもよい。他に、リング部材７５をウレタンゴムで形成し、これにシリコンオイルを含有させる等各種の方法が考えられる。
【００７５】
図９は、本発明の他の実施例を示し、図７及び図８に示されているリング部材７５を変形した管状部材８３を示し、断面矩形の管状部８５の外周面に半球状の凸部８７を所定の間隔で所定の個数を一体的に成形したものである。
【００７６】
なお、図７〜図９で示したリング部材７５や管状部材８３においても、その内径を円柱部５９の外径よりやや小さめにしておけば、取付ねじ３７に嵌入されたリング部材７５や管状部材８３は円柱部５９を締め付けるため、固定手段を別に設けることもなく、リング部材７５や管状部材８３を、取付ねじ３７に固定することができる。
【００７７】
いずれのリング部材７５や管状部材８３を取付ねじ３７に嵌入する際には、内径を大きくなるように手指等で広げて嵌入するが、全周にわたって太径のリング部材７５は広げるのに力を要するのに対し、管状部材８３は、凸部と凸部の間は薄く伸縮性があるため容易に広げることができ、取付ねじ３７への嵌入を容易にすることができる。また、凸部８７の個数の増減により振動の減衰特性を変えることができること、ならびに、間隔を適当に設定することにより振動の減衰特性に方向性を持たせることができることは、図６の実施例において説明した凸部７１と同様である。
【００７８】
なお、図６及び図９に示した、弾性体３５，７３の肉厚、管状部材８３の太さあるいはこれらの材質、硬度等は、上記実施例に記載されたものに限られず、光ディスク装置の使用環境等によって変化する振動周波数により、光ドライブユニット５の重量よって異なる凸部７１，８７と円柱部５９の形状により、あるいは管状部材８３と弾性体７３との間の摩擦係数等により選択できる。
【００７９】
【発明の効果】
本発明の光ディスク装置の防振装置によれば、第１防振部材と支持軸との間に配設されて光ドライブユニットの支持軸に対する偏倚を規制する第２防振部材が、支持軸と直交する方向のばね定数が非線形である断面形状の複数の凸部を有することによって、光ディスク装置が縦置きの場合に、光ディスク装置の自重によって第１防振部材が下垂し、第２防振部材が対峙する支持軸又は第１防振部材に接触しても、広範囲の周波数の振動を効果的に吸収することができ、しかも、第２防振部材の複数の凸部を特定の方向に密に、他の方向には疎に設けたことによって、振動の減衰特性に方向性を持たせることができる。
【００８０】
また、第１防振部材の周壁部分から支持軸に接する内周縁部を設け、この内周縁部を周壁部分より肉厚にしたことによって、光ドライブユニットを支持するのに充分な剛性を持つことができる。
【００８１】
また、縦置きの場合でも横置きの場合でも、第２防振部材と第２防振部材が対峙する支持軸又は第１防振部材との間に所定の間隙が設けられていることによって、光ドライブユニットの偏倚を規制することができ、光ドライブユニットの周囲構造体との干渉を防止することができるようになる。
【図面の簡単な説明】
【図１】本発明の前提となる構成における光ディスク装置の全体構成図を示す上面図である。
【図２】本発明の前提となる構成における光ディスク装置の全体構成図を示す側面図である。
【図３】本発明の前提となる構成における光ドライブユニットの取付部を示す斜視図である。
【図４】本発明の前提となる構成における防振装置の弾性体及びその周辺図であって、光ディスク装置が横置きの状態を示すものである。
【図５】図４の本発明の前提となる構成における弾性体及びその周辺図を示す断面図であって、光ディスク装置が縦置きの状態を示すものである。
【図６】本発明の実施例を示す上面図であって、光ディスク装置が横置きの状態を示すものである。
【図７】本発明の他の前提となる構成における弾性体及びその周辺図を示す断面図であって、光ディスク装置が横置きの状態を示すものである。
【図８】図７の本発明の他の前提となる構成における弾性体及びその周辺図を示す断面図であって、光ディスク装置が縦置きの状態を示すものである。
【図９】本発明の他の実施例における管状部を示す斜視図である。
【図１０】本発明の先願となる実開平２−３０１９８号明細書における防振機構の全体構造を示す断面図であって、光ディスク装置が横置きの状態を示すものである。
【図１１】本発明の先願となる実開平２−３０１９８号明細書における防振機構の全体構造を示す断面図であって、光ディスク装置が縦置きの状態を示すものである。
【図１２】本発明の先願となる特開平２−６１８８１号明細書における防振機構のゴム部材関連の構造を示す断面図である。
【図１３】本発明の先願となる特開平２−６１８８１号明細書における防振機構での、図１２におけるＡ−Ａ断面を示した図である。
【符号の説明】
１…メインシャーシ、５…光ドライブユニット、３５…弾性体、３７…取付ねじ、６７，６９…内周縁部、７１…凸部、７３…弾性体、８５…管状部、８７…凸部。
【図１】
0003585953.tif 000002
【図２】
0003585953.tif 000003
【図３】
0003585953.tif 000004
【図４】
0003585953.tif 000005
【図５】
0003585953.tif 000006
【図６】
0003585953.tif 000007
【図７】
0003585953.tif 000008
【図８】
0003585953.tif 000009
【図９】
0003585953.tif 000010
【図１０】
0003585953.tif 000011
【図１１】
0003585953.tif 000012
【図１２】
0003585953.tif 000013
【図１３】
0003585953.tif 000014